(57)【要約】【課題】排便時の臭気を便器内に吸引して排出する水洗便器脱臭装置を提供する。【解決手段】腰掛け型の便器で、洗浄タンク３がロータンク式の水洗便器における脱臭装置であって、上板６及び下板７と、上下両板６，７の開口部６ａ，７ａをつなぐ連結管８と、上端部で連結管８の上端部を封鎖し、外周面と連結管８内周面との間に環状吸気部９を形成するように連結管８内に設けられるテーパ状導水管１０と、環状吸気部９に連通するように連結管８の一側部に突設した排気管接続筒部１１とからなる装置本体５を備え、装置本体５の下板７を便器本体１の取付台座１４に固定して、下板７の開口部７ａを便器本体１の放水口１９に連通させると共にテーパ状導水管１０の下端部を放水口１９の中心部に臨ませ、上板６に洗浄タンク３を固定して、テーパ状導水管１０の上端部を洗浄タンク３の排水口２０に連通させ、排気管接続筒部１１には排気ファン１６により排気される排気管１５の一端部を接続してなる。【選択図】図３
0003119840.tif 000002
【実用新案登録請求の範囲】
【請求項１】
腰掛け型の便器で、洗浄タンクがロータンク式の水洗便器における脱臭装置であって、夫々中央部に開口部を設けた上板及び下板と、上下両板の開口部をつなぐ連結管と、下細テーパ状に形成され、その上端部で連結管の上端部を封鎖し、その外周面と連結管内周面との間に環状吸気部を形成するように連結管内に設けられたテーパ状導水管と、環状吸気部に連通するように連結管の一側部に突設された排気管接続筒部とからなる一体構造の装置本体を備え、この装置本体の下板を便器本体の取付台座に固定して、下板の開口部を便器本体の放水口に連通させると共に導水管の下端部を放水口の中心部に臨ませ、上板にロータンクを固定して、導水管の上端部を洗浄タンクの排水口に連通させ、排気管接続筒部には排気ファンにより排気される排気管の一端部を接続し、排便時に発生する臭気を便器本体の放水口から吸気部に吸引して排気管より排出するようにした水洗便器脱臭装置。
【請求項２】
装置本体の上板及び下板には夫々中央開口部を挟んでその両側に、便器ロータンク及び便器本体のボルト挿通孔と夫々対応する位置にボルト挿通孔を設けてなる請求項１に記載の水洗便器脱臭装置。
【請求項３】
排気管の他端部は、排気ファンの設けてあるトイレの換気口に接続するようにしてなる請求項１又は２に記載の水洗便器脱臭装置。
【考案の詳細な説明】
【技術分野】
【０００１】
本考案は、腰掛け型の便器で、洗浄タンクがロータンク式の水洗便器における脱臭装置に関するもので、水洗便器での排便時に排泄物から発生せられる臭気を、便器の外へは極力排出させないように便器本体内部で吸引してトイレの外へ排出するようにした水洗便器脱臭装置に関する。
【背景技術】
【０００２】
トイレには、通常、天井部や壁部に換気扇が設けられており、排便時に排泄物から発せられる臭気は、この換気扇による吸引力によって、一旦便器本体の外へ排出され、換気扇の設けてある換気口から排気ダクトを経て屋外へ排出されるようになっている。
【考案の開示】
【考案が解決しようとする課題】
【０００３】
上記のように天井部等に設けた換気扇によって排便時に発生する臭気を一旦便器の外へ排出して、換気口から屋外へ排出させる従来の脱臭方式では、便器に座っている排便者自身はその臭気から免れることができないため、しばらくの間、その臭いのを我慢しなければならない、という不都合があった。
【０００４】
本考案は、上記の課題に鑑み、排便時に排泄物から発生する臭気を、便器の外へは極力排出させず、便器内に吸引して排出するようにし、もって排便中に排便者自身も臭気から極力免れることができるようにした水洗便器脱臭装置を提供することを目的とする。
【課題を解決するための手段】
【０００５】
上記課題を解決するための手段を、後述する実施形態の参照符号を付して説明すると、請求項１に係る考案の水洗便器脱臭装置は、腰掛け型の便器で、洗浄タンク３がロータンク式の水洗便器における脱臭装置であって、夫々中央部に開口部６ａ，７ａを設けた上板６及び下板７と、上下両板６，７の開口部６ａ，７ａをつなぐ連結管８と、下細テーパ状に形成され、その上端部で連結管８の上端部を封鎖し、その外周面と連結管８内周面との間に環状吸気部９を形成するように連結管８内に設けられたテーパ状導水管１０と、環状吸気部９に連通するように連結管８の一側部に突設された排気管接続筒部１１とからなる一体構造の装置本体５を備え、この装置本体５の下板７を便器本体１の取付台座１４に固定して、下板７の開口部７ａを便器本体１の放水口１９に連通させると共に導水管１０の下端部を放水口１９の中心部に臨ませ、上板６に洗浄タンク３を固定して、導水管１０の上端部を洗浄タンク３の排水口２０に連通させ、排気管接続筒部１１には排気ファン１６により排気される排気管１５の一端部を接続し、排便時に発生する臭気を便器本体１の放水口１９から吸気部９に吸引して排気管１５より排出するようにしたことを特徴としている。
【０００６】
請求項２は、請求項１に記載の水洗便器脱臭装置において、装置本体５の上板６及び下板７には夫々中央開口部６ａ，７ａを挟んでその両側に、洗浄タンク３及び便器本体１のボルト挿通孔１２，１３と夫々対応する位置にボルト挿通孔６ｂ，７ｂを設けてなることを特徴とする。
【０００７】
請求項３は、請求項１又は２に記載の水洗便器脱臭装置において、排気管１５の他端部は、排気ファン１６の設けてあるトイレの換気口に接続するようにしてなることを特徴とする。
【考案の効果】
【０００８】
上記解決手段による考案の効果を、後述する実施形態の参照符号を付して説明すると、請求項１に係る考案によれば、便器本体１内に排泄された大便等から発せられる臭気は、排気ファン１６の作動による排気管１５の一端部側に生ずる吸引作用によって、装置本体５の連結管８内周面とテーパ状導水管１外周面との間の吸気部９に吸引され、連結管８の排気管接続筒部１１より排気管１５に吸引排出されるから、トイレ内に嫌な臭いが漂うようなことがなく、排便者は快適にトイレを使用することができる。
【０００９】
使用者が排便後に、洗浄タンク３の排水口２０を開放操作することによって、洗浄タンク３内の水が排水口２０から便器本体１の放水口１９を通って便器本体１内に放出されるが、洗浄タンク３の排水口２０からの水は、下細テーパ状導水管１０に落とし込まれて、テーパ状導水管１０の径小下端部から放水口１９を通り便器本体１内に放出されるため、便器本体１の放水口１９にはテーパ状導水管１０の径小下端部からの放水流の周囲に環状空間部Ｓが形成されることになり、従って吸気部９に吸引されようとする排便時の臭気は、その放水流に邪魔されることなく、その環状空間部Ｓより吸気部９に有効に吸引されて排気管１５に吸引排出されることになり、また洗浄タンク３から排出される水の一部が吸気部９から排気管１５へ吸引されて入り込むおそれがなく、排気ファン１６の漏電防止を図ることができる。
【００１０】
請求項２に係る考案によれば、装置本体５の上板６及び下板７には夫々中央開口部６ａ，７ａを挟んでその両側に、洗浄タンク３及び便器本体１のボルト挿通孔１２，１３と夫々対応する位置にボルト挿通孔６ｂ，７ｂを設けてあるため、既設の腰掛け型水洗便器の洗浄タンク３を取り外して、この洗浄タンク３と便器本体１の取付台座１４との間に装置本体５を介挿すれば、洗浄タンク３と取付台座１４のボルト挿通孔６ｂ，７ｂをそのまま利用して、装置本体５を簡単にボルト止めすることができる。
【００１１】
請求項３に係る考案のように、排気管１５の他端部を、排気ファン１６の設けてあるトイレの換気口に接続するようにすれば、特別に排気ファン１６を設けることなく、トイレの排気ファン１６をそのまま利用して排気管１５を配管することができ、きわめて経済的である。
【考案を実施するための最良の形態】
【００１２】
以下に本考案の好適な実施形態を図面に基づいて説明すると、図１は既製の水洗便器に本考案に係る水洗便器脱臭装置を装備してなる腰掛け型便器の斜視図であり、図２の(a)
は水洗便器脱臭装置の装置本体を示す斜視図、(b) はその縦断面図であり、図３は水洗便器脱臭装置の取付構造を示す縦断面図である。図１において、１は便器本体、１ａはこの便器本体１のボール、２は便器本体１に開閉自在に取り付けられた便座、３は洗浄タンクとしてのロータンクであり、４は水洗便器脱臭装置である。
【００１３】
水洗便器脱臭装置４は一体構造の装置本体５を有する。この装置本体５は、図２の(a)
及び(b) に示すように、夫々中央部に開口部６ａ，７ａを形成した上板６及び下板７と、上下両板６，７の開口部６ａ，７ａをつなぐように上下両板６，７間に介挿連結された連結管８と、下細テーパ状（下窄まりテーパ状）に形成されていて、その上端部で連結管８の上端部を封鎖し、その外周面と連結管８の内周面の間に下端側が開放した断面直角三角形の環状吸気部９を形成するように連結管８内に取り付けられるテーパ状の導水管１０と、前記環状吸気部９に連通するように連結管８の一側部に突設された排気管接続筒部１１とによって一体構造に形成されたもので、テーパ状導水管１０の下端部の外径は、図３から分かるように連結管８の内径よりも十分径小となっている。尚、連結管８は、その内径が便器本体１の放水口１９の内径とほぼ同じになるように形成される。
【００１４】
装置本体５の上板６及び下板７には、夫々中央開口部６ａ，７ａを挟んでその両側に、洗浄タンク３及び便器本体１のボルト挿通孔１２，１３と夫々対応する位置にボルト挿通孔６ｂ，７ｂが設けられている。尚、洗浄タンク３及び便器本体１のボルト挿通孔１２，１３は、便器本体１の後端部に設けられた取付台座１４に洗浄タンク３をボルト止めするために既製の便器本体１及び洗浄タンク３に夫々あらかじめ設けられているボルト挿通孔である。
【００１５】
この装置本体５を構成する上板６及び下板７は鋼板又はステンレス板により形成され、また連結管８、テーパ状導水管１０及び排気管接続筒部１１は鋼製又はステンレス製の管材からなるもので、これらは溶接により一体的に接合されて、一体構造とされる。
【００１６】
図１及び図３において、１５は一端部が装置本体５の排気管接続筒部１１に接続される排気管であり、この排気管１５は他端部側には排気ファン１６が設けられる。この場合、排気管１５の他端部は、排気ファン１６が設置されたトイレの天井等にある換気口（図示省略）に接続するように配管することができる。
【００１７】
上記のような構成の装置本体５を用いて既設の家庭用水洗便器に本考案の水洗便器脱臭装置４を設置する場合には、先ず、洗浄タンク３に水を供給する給水管２５の止水栓（図示せず）を止め、洗浄タンク３内の水を排出して空にした後、図示は省略するが、洗浄タンク３を便器本体１の取付台座１４に固定しているボルトを抜いて、洗浄タンク３を取付台座１４から取り外す。
【００１８】
それから、装置本体５の下板７を便器本体１の取付台座１４に載せて、図３に示すように、下板７の開口部７ａを便器本体１の放水口１９に連通させると共にテーパ状導水管１０の下端部を放水口１９の中心部に臨ませた状態で、ボルト１７を、下板７のボルト挿通孔７ｂから取付台座１４のボルト挿通孔１４に水密シールパッキン２１を介して挿通し、ナット１８を締め付けることによって、装置本体５を取付台座１４に固定する。
【００１９】
こうして便器本体１の取付台座１４に固定した装置本体５の上板６に洗浄タンク３を載せて、図３に示すように、テーパ状導水管１０の上端部を便器本体１の排水口２０に連通させた状態で、ボルト１７を、上板６のボルト挿通孔６ｂから洗浄タンク３の底壁部３ａに設けてあるボルト挿通孔１２に水密シールパッキン２１，２１を介して挿通し、ナット１８を締め付けることによって、洗浄タンク３を装置本体５の上板６に固定する。この際、洗浄タンク３を前後左右に揺すって、ぐらつきが無いかどうかを確認し、ぐらつくようであれば、各ボルト１７を締め直す。尚、２２は上板６と洗浄タンク３の底壁部３ａの排水口２０周辺との間に介装した水密シールパッキンである。
【００２０】
上記のようにして便器本体１の取付台座１４に装置本体５を介して洗浄タンク３を安定状に取り付けた後、装置本体５の排気管接続筒部１１には排気管１５の一端部を接続し、その他端部は、排気ファン１６の設置されたトイレの天井等にある換気口（図示省略）に接続する。この排気管１５は、図１及び図３に示す実施形態では、夫々塩化ビニル等合成樹脂製の水平管部１５ａと垂直管部１５ｂと両管部１５ａ，１５ｂをつなぐベンド１５ｃとからなり、水平管部１５ａを排気管接続筒部１１に接続し、垂直管部１５ｂを換気口に接続する。
【００２１】
図１及び図３に示す実施形態では、排気管接続筒部１１に一端部を接続した排気管１５の他端部を排気ファン１６の設置されたトイレの天井等にある換気口に接続しているが、一端部を接続した排気管１５の他端部をトイレの外壁部から建物外部へ貫通させ、その外壁貫通部分の手前側に排気ファン１６を設けるようにしてもよい。
【００２２】
上記のように設置される水洗便器脱臭装置４の作用について図３を参照して説明する。図３には、洗浄タンク３の排水口２０を開閉する開閉弁２３が閉弁されている状態を仮想線で示す。
【００２３】
いま、水洗便器使用者が便器本体１の便座２に腰を下ろしてボール１ａ内に大便を排泄すると、この排便時に発生する臭気は、排気ファン１６の作動によって排気管１５の一端部側に生ずる吸引作用によって、装置本体５の連結管８内周面とテーパ状導水管１外周面との間の吸気部９に吸引され、連結管８の排気管接続筒部１１より排気管１５に吸引排出される。従って、トイレ内には排泄された大便による嫌な臭いが漂うようなことがなく、排便者は快適にトイレを使用することができる。
【００２４】
使用者が排便後に、洗浄タンク３の排水ハンドル２４を操作して、開閉弁（タンクボール）２３を引き上げると、洗浄タンク３内の水が排水口２０から便器本体１の放水口１９を通って便器本体１のボール１ａ内に放出されるが、この場合、洗浄タンク３の排水口２０からの水は、下細テーパ状導水管１０に落とし込まれて、放水口１９より十分に径の小さいテーパ状導水管１０の径小下端部から放水口１９を通ってボール１ａ内に放出されるから、便器本体１の放水口１９にはテーパ状導水管１０の径小下端部からの放水流の周囲に環状空間部Ｓが形成される。従って、吸気部９に吸引されようとする排便時の臭気は、その放水流に邪魔されることなく、その環状空間部Ｓより吸気部９に有効に吸引されて、排気管１５に吸引排出されることになり、また洗浄タンク３から排出される水の一部が吸気部９から排気管１５へ吸引されるおそれがなく、排気ファン１６の漏電防止を図ることができることになる。
【００２５】
以上の実施形態では、ウォッシュレットタイプではない水洗便器について説明したが、本考案の脱臭装置は、ウォッシュレットタイプの水洗便器にも上述した実施形態と同様に適用できるものである。
【図面の簡単な説明】
【００２６】
【図１】既製の水洗便器に本考案に係る水洗便器脱臭装置を装備してなる腰掛け型便器の斜視図である。
【図２】(a) は水洗便器脱臭装置の装置本体を示す斜視図、(b) はその縦断面図である。
【図３】水洗便器脱臭装置の取付構造を示す縦断面図である。
【符号の説明】
【００２７】
１            便器本体
２            便座
３            洗浄タンク（ロータンク）
４            水洗便器脱臭装置
５            装置本体
６            上板
６ａ          開口部
６ｂ          ボルト挿通孔
７            下板
７ａ          開口部
７ｂ          ボルト挿通孔
８            連結管
９            吸気部
１０          テーパ状導水管
１１          排気管接続筒部
１２，１３    ボルト挿通孔
１４          便器本体の取付台座
１５          排気管
１６          排気ファン
１７          ボルト
１８          ナット
１９          便器本体の放水口
２０          洗浄タンクの排水口
【図１】
0003119840.tif 000003
【図２】
0003119840.tif 000004
【図３】
0003119840.tif 000005